(57)【特許請求の範囲】
【請求項１】
照明体と、該照明体の出力を段階的あるいは無段階的に調整する出力調整器を有する照明部と、
該照明部の周囲の状況を計測して得られる、特定の日時における同照明部の周囲の状況に関する周囲情報と、該周囲情報とそれ以前に記憶された前記周囲情報との差分を変移量として記憶する周囲情報記憶部と、該周囲情報記憶部に記憶された前記周囲情報に前記変移量を加味して日時の経過に伴う周囲の状況の変化を判断する判断部と、該判断部で判断された周囲の状況から前記照明体の色温度あるいは調光の出力を判定する出力判定部と、該出力判定部の判定に応じて前記出力調整器に前記照明体の前記出力に関する出力情報を送信する送信部とを有する制御ユニットと、
前記照明部及び前記制御ユニットに電力を供給する電力供給部とを備える
照明装置。
【請求項２】
前記電力供給部は、太陽光発電機能を有する
請求項１に記載の照明装置。
【請求項３】
前記周囲情報は、少なくとも温度及び発電量若しくは光量に関する情報である
請求項１又は請求項２に記載の照明装置。
【請求項４】
照明装置の周囲の状況を計測して、特定の日時における照明装置の周囲の状況に関する周囲情報を取得する計測工程と、
前記計測工程で得た前記周囲情報にそれ以前に取得した周囲情報との差分である変移量を加味して日時の経過に伴う周囲の状況の変化を判断する判断工程と、
該判断工程で判断された照明装置の周囲の状況に応じた照明体の、色温度あるいは調光の出力を判定する出力判定工程と、
該出力判定工程で判定された前記照明体の前記出力に関する出力情報に基づいて、同照明体の出力を段階的あるいは無段階的に制御する制御工程とを備える
照明方法。
【発明の詳細な説明】
【技術分野】
【０００１】
本発明は、照明装置及び照明方法に関する。詳しくは、天候の移り変わりや日時の経過に伴う温度や気圧などの周囲の状況の変化に応じて適切な照明環境を段階的あるいは無段階的に作り出すことができる照明装置及び照明方法に係るものである。
【背景技術】
【０００２】
街路灯を道路沿いに設置することで、夜間路上が照らされ、道路交通の安全性と快適性が保たれている。また、これらの街路灯の多くにはタイマーが組み込まれており、点消灯の時間が予め設定されているため、設定された時間になれば自動で点消灯するようになっている。
【０００３】
しかし、点消灯に適した時間は、常に一定ではなく、同じ場所であっても季節によって異なり、また、経度によっても日没時間は異なる。このような現状を考慮せず、一律に同じ時間で点消灯を行うと、まだ充分に明るく照明の必要がない場合であっても点灯する、あるいは周囲が暗くなり点灯した方が安全であるにも関わらず点灯されない、といった不都合が生じてしまう。
【０００４】
このため、特許文献１に示すように、日照センサの出力に基づき、照明体の点消灯を制御する「照明装置」が提案されている。これにより、太陽電池が太陽光を受光できないと判断したときは照明体を点灯すると共に照明体の光を受けて発電し、太陽電池が太陽光を受光できると判断したとき照明体を消灯して太陽光で発電することができる。
【先行技術文献】
【特許文献】
【０００５】
【特許文献１】特開２０１７−１１１９１２号公報
【発明の概要】
【発明が解決しようとする課題】
【０００６】
しかしながら、特許文献１に記載の発明では、日照センサの出力値が閾値を超えるか否かによって、単に照明体を点消灯させるだけであり、例えば、季節に応じて照明の色温度あるいは光の強さを徐々に変化させるなどのように、天候の移り変わりや日時の経過に伴う温度や気圧などの周囲の状況の変化に応じて適切な照明環境を段階的にあるいは無段階的に作り出すものではない。
【０００７】
本発明は以上の点に鑑みて創案されたものであり、天候の移り変わりや日時の経過に伴う温度や気圧などの周囲の状況の変化に応じて適切な照明環境を段階的あるいは無段階的に作り出すことができる照明装置及び照明方法を提供することを目的とする。
【課題を解決するための手段】
【０００８】
上記課題を解決するために、本発明の照明装置は、照明体と、該照明体の出力を段階的あるいは無段階的に調整する出力調整器を有する照明部と、該照明部の周囲の状況を計測して得られる、同照明部の周囲の状況に関する周囲情報に基づいて周囲の状況を判断する判断部と、該判断部で判断された周囲の状況から前記照明体の色温度あるいは調光の出力を判定する出力判定部と、該出力判定部の判定に応じて前記出力調整器に前記照明体の前記出力に関する出力情報を送信する送信部とを有する制御ユニットと、前記照明部及び前記制御ユニットに電力を供給する電力供給部とを備える。
【０００９】
ここで、制御ユニットが、照明部の周囲の状況を計測して得られる、照明部の周囲の状況に関する周囲情報に基づいて周囲の状況を判断する判断部を有することによって、照明装置の周囲の状況（例えば、温度、湿度、気圧、光量或いは太陽光発電を用いて発電している場合には発電量など）を計測して得られる周囲情報から、各照明装置の周囲の状況を個別に判断することができる。
【００１０】
例えば、隣接あるいは近接する二つの照明装置について、一方の照明装置は充分な発電量であることから日差しを受けていると判断し、他方の照明装置は発電量が充分ではない（あるいは気温が低い）ことから、ビルの陰に位置するなどやや暗く寒い状態であると判断することができる。
【００１１】
また、制御ユニットが、判断部で判断された周囲の状況から照明体の色温度あるいは調光の出力を判定する出力判定部を有することによって、判断部で判断された各照明装置の周囲の状況に応じた適切な照明環境となるように、照明体の色温度及び調光の出力を判定することができる。
【００１２】
なお、出力を判定するとは、例えば、照明体の色温度や調光などの出力を判定することであり、具体的には、適切な色温度（通常、ケルビンという単位で表す）を決定する、あるいは調光の出力（通常「０〜１００％」で表す）を決定することをいう。
【００１３】
また、制御ユニットの、出力判定部の判定に応じて出力調整器に照明体の出力に関する出力情報を送信する送信部と、照明体と、照明体の出力を段階的あるいは無段階的に調整する出力調整器を有する照明部によって、送信部から送信された出力情報をもとに、出力調整器を介して照明体の出力を段階的あるいは無段階的に調整することができる。即ち、制御ユニットによる照明体の色温度あるいは調光について段階的あるいは無段階的に出力制御が可能となるので、天候の移り変わりや日時の経過に伴う温度や気圧などの周囲の状況の変化に応じて適切な照明環境を段階的あるいは無段階的に作り出すことができる
【００１４】
なお、「段階的あるいは無段階的に照明体の出力を調整する」とは、例えば、照明体の調光の出力については、単に照明体の点消灯を切り替えるだけではなく、照明体の調光の出力を様々なパターンで行えるように、その出力を調整することをいう。具体的には、点灯状態、消灯状態以外にも「やや暗い状態」「やや明るい状態」など点灯状態と消灯状態の間の照明環境を段階的あるいは無段階的に提供できるように、照明体の出力を調整することをいう。
【００１５】
また、例えば、色温度については、常に同一の色温度で出力するのではなく、様々なパターンの色温度を提供できるように、照明体の出力を調整することをいう。具体的には、複数の色温度の照明体を備えるなどして、寒い時期には暖かみのある照明を提供し、暑い時期には涼しさを感じられる照明を提供し、暑さ寒さを強く感じない時期であれば、両者の中間色の照明を提供することができるように、照明体の出力を調整することをいう。
【００１６】
即ち、周囲の状況に応じて複数の出力パターンのいずれかでの出力が可能であり、より周囲の状況に合致した照明環境を提供できる。
【００１７】
また、照明部及び制御ユニットに電力を供給する電力供給部によって、照明部及び制御ユニットを電力により稼動させることができる。
【００１８】
また、制御ユニットは、周囲情報を記憶する周囲情報記憶部を有すると共に、判断部は、周囲情報記憶部に記憶された周囲情報と、それ以前に記憶された周囲情報とから周囲の状況を判断する場合には、今取得した周囲情報だけでなく、それ以前に取得した周囲情報の差分を変移量として把握し、時間の経過に応じた周囲の状況の変化を認識して現時点での周囲の状況を判断することができる。
【００１９】
具体的には、気圧について前回の周囲情報との差分を変移量として把握した場合、気圧が徐々に上昇しているのであれば、天気が回復傾向にあると判断し、後述する出力判定部において、これに応じた照明体の出力（例えば、じきに周囲が明るくなることが予想されるので、調光の出力をやや暗めに設定する）にすることができる。このようにして、天候の移り変わりや日時の経過に伴う温度や気圧などの周囲の状況の変化に応じて適切な照明環境を段階的あるいは無段階的に作り出すことができる
【００２０】
また、電力供給部が太陽光発電機能を有する場合には、太陽光発電機能により発電された電力を、照明部及び制御ユニットに供給することができる。また、商用電源が利用できない場合であっても電力を供給することができる。
【００２１】
また、周囲情報が、少なくとも温度及び発電量若しくは光量に関する情報である場合には、照明装置の周囲の温度及び発電量（若しくは光量）に関する情報に基づいて判断部で周囲の状況を判断することができる。これにより、温度に関する情報から、照明装置の周囲の寒暖を制御ユニットの判断部で判断することができる。また、発電量（若しくは光量）に関する情報から、照明装置の周囲の明るさを、制御ユニットの判断部で判断することができる。これにより、少なくとも温度及び発電量（若しくは光量）に基づいて判定された天候の移り変わりや日時の経過に伴う温度や気圧などの周囲の状況の変化に応じて適切な照明環境を段階的あるいは無段階的に作り出すことができる。なお、周囲情報は、温度と発電量（若しくは光量）に限られるものではなく、例えば、湿度、気圧、風速、風向き、紫外線量なども含めて判断することも考えられる。
【００２２】
また、上記課題を解決するために、本発明の照明装置は、照明体と、該照明体の出力を段階的あるいは無段階的に調整する出力調整器を有する照明部と、現在日時を認識する現在日時認識部と、該現在日時認識部で認識された前記現在日時に関する情報と、予め定められ、前記照明部の設置場所に対応した、前記現在日時における前記照明体の点消灯の時刻及び色温度あるいは調光の出力に関する情報とを照合して、現在日時における前記照明体の色温度あるいは調光の出力を判定する照合判定部と、該照合判定部の判定に応じて前記出力調整器に、現在日時における前記照明体の点消灯の時刻及び色温度あるいは調光の出力に関する出力情報を送信する送信部とを有する制御ユニットと、前記照明部及び前記制御ユニットに電力を供給する電力供給部とを備える。
【００２３】
ここで、現在日時を認識する現在日時認識部と、現在日時認識部で認識された現在日時に関する情報と、予め定められ、照明部の設置場所に対応した、現在日時における照明体の点消灯の時刻及び色温度あるいは調光の出力に関する情報とを照合して、現在日時における照明体の色温度あるいは調光の出力を判定する照合判定部とによって、設置場所と日時に応じた適切な照明体の色温度あるいは調光の出力を判定することができる。なお、現在日時とは、現在の日付（年月日）及び時刻（時分秒）をいう。
【００２４】
また、「予め定められ、照明部の設置場所に対応した、現在日時における照明体の点消灯の時刻及び色温度あるいは調光の出力に関する情報」とは、照明部の設置場所における、過去の周囲情報から統計的に判定した最も適切と思われる照明体の出力に関する情報をいう。
【００２５】
また、照合判定部の判定に応じて出力調整器に、現在日時における照明体の点消灯の時刻及び色温度あるいは調光の出力に関する出力情報を送信する送信部と、照明体と、照明体の出力段階的あるいは無段階的に調整する出力調整器を有する照明部によって、送信部が出力情報を出力調整器に送信し、出力調整部は出力情報に基づいて照明体の点消灯の時刻及び色温度あるいは調光の出力を段階的あるいは無段階的に調整することができる。即ち、制御ユニットによる照明体の色温度あるいは調光について段階的あるいは無段階的に出力制御が可能となり、日時の経過に伴う温度や気圧などの周囲の状況の変化に応じて適切な照明環境を段階的あるいは無段階的に作り出すことができる。
【００２６】
また、照明部及び制御ユニットに電力を供給する電力供給部によって、照明部及び制御ユニットを電力により稼動させることができる。
【００２７】
また、上記課題を解決するために、本発明の照明方法は、照明装置の周囲の状況を計測して、照明装置の周囲の状況に関する周囲情報を取得する計測工程と、前記計測工程で得た前記周囲情報に基づいて照明装置の周囲の状況を判断する判断工程と、該判断工程で判断された照明装置の周囲の状況に応じた照明体の、色温度あるいは調光の出力を判定する出力判定工程と、該出力判定工程で判定された前記照明体の前記出力に関する出力情報に基づいて、同照明体の出力を段階的あるいは無段階的に制御する制御工程とを備える。
【００２８】
ここで、照明装置の周囲の状況を計測して、照明装置の周囲の状況に関する周囲情報を取得する計測工程と、計測工程で得た周囲情報に基づいて照明装置の周囲の状況を判断する判断工程によって、計測工程で得られた周囲情報を元にして、判断工程において照明装置の周囲の状況を判断することができる。
【００２９】
また、判断工程で判断された照明装置の周囲の状況に応じた照明体の、色温度あるいは調光の出力を判定する出力判定工程と、出力判定工程で判定された照明体の出力に関する出力情報に基づいて、照明体の出力を段階的あるいは無段階的に制御する制御工程とによって、周囲の状況に応じた照明体の出力を判定し、この出力に関する出力情報により照明体の色温度あるいは調光の出力を段階的あるいは無段階的に制御することができる。即ち、天候の移り変わりや日時の経過に伴う温度や気圧などの周囲の状況の変化に応じて適切な照明環境を段階的あるいは無段階的に作り出すことができる
【００３０】
また、上記課題を解決するために、本発明の照明方法は、現在日時を認識する現在日時認識工程と、前記現在日時認識工程で認識された日時に関する情報と、予め定められ、照明装置の設置場所に対応した、前記現在日時における前記照明装置の点消灯の時刻及び色温度あるいは調光の出力に関する情報とを照合し、同照明装置の設置場所の同現在日時における同照明装置の色温度あるいは調光の出力を判定する出力判定工程と、該出力判定工程で判定された前記照明装置の前記出力に関する出力情報に基づいて、同照明装置の同出力を段階的あるいは無段階的に制御する制御工程とを備える。
【００３１】
ここで、現在日時を認識する現在日時認識工程と、現在日時認識工程で認識された日時に関する情報と、予め定められ、照明装置の設置場所に対応した、現在日時における照明装置の点消灯の時刻及び色温度あるいは調光の出力に関する情報とを照合し、照明装置の設置場所の現在日時における照明装置の色温度あるいは調光の出力を判定する出力判定工程とによって、現在日時に関する情報から、設置場所に対応した点消灯の時刻及び照明装置の色温度あるいは調光の出力が一意的に定まるので、現在日時に応じて点消灯の時刻及び色温度あるいは調光の出力を判定することができる。
【００３２】
出力判定工程で判定された照明装置の出力に関する出力情報に基づいて、照明装置の出力を段階的あるいは無段階的に制御する制御工程によって、出力情報により照明装置の色温度あるいは調光の出力を段階的あるいは無段階的に制御することができる。即ち、日時の経過に伴う温度や気圧などの周囲の状況の変化に応じて適切な照明環境を段階的あるいは無段階的に作り出すことができる。
【発明の効果】
【００３３】
本発明に係る照明装置及び照明方法は、天候の移り変わりや日時の経過に伴う温度や気圧などの周囲の状況の変化に応じて適切な照明環境を段階的あるいは無段階的に作り出すことができる照明装置及び照明方法となっている。
【図面の簡単な説明】
【００３４】
【図１】本発明の第１の実施の形態に係る照明装置Ａの外観図である。
【図２】本発明の第１の実施の形態に係る照明装置Ａの構成図である。
【図３】本発明の第１の実施の形態に係る照明装置Ａの照明灯２０のＬＥＤ２０ａ、２０ｂの配列パターンを表した説明図である。
【図４】本発明の第１の実施の形態に係る照明装置Ａのフローチャートである。
【図５】本発明の第２の実施の形態に係る照明装置Ｂの構成図である。
【図６】本発明の第２の実施の形態に係る照明装置Ｂのフローチャートである。
【発明を実施するための形態】
【００３５】
以下、本発明の照明装置Ａの第１の実施の形態について図１ないし図５を参照しながら説明し、本発明の理解に供する。
【００３６】
［第１の実施の形態］
照明装置Ａは、図１及び図２に示すように、照明装置Ａが稼働するための電力を供給する電力供給部１、ＬＥＤ（Ｌｉｇｈｔ  Ｅｍｉｓｓｉｏｎ  Ｄｉｏｄｅ）を用いた照明灯２０及び照明灯２０の出力を調整する出力調整部２１から成る照明部２、外部との送受信を行う通信部３、ニュースなどの情報を適宜表示する表示部４、各種センサを有し、照明装置Ａの周囲の情報を計測する計測部５０と、計測部５０からの計測データを元に照明灯２０の色温度や調光などの出力を判定し、出力調整部２１に出力に関する出力情報を送る制御ユニット５１が収容された収容部５及びこれらを支持する支柱６を備える。
【００３７】
照明装置Ａの支柱６の長さは約４．５ｍであり、支柱６の上部には電力供給部１のソーラーパネル１０が設けられ、ソーラーパネル１０の下方には、照明部２のＬＥＤを用いた照明灯２０及び照明灯２０の近傍に出力調整部２１が設けられている。なお、支柱６の長さは、上記の長さに限られるものではなく任意に設定することができる。
【００３８】
また、照明部２の下方には、インターネットを介して外部と情報の送受信を行う通信部３が設けられ、通信用アンテナ３０が備えられている。通信用アンテナ３０は、後述する各種センサによって計測された、照明装置Ａの周囲の気温、湿度、気圧、発電量などのデータを、インターネット上のクラウド７に送信する際に用いられる。
【００３９】
各種センサによって計測された計測データは、収容部５の制御ユニット５１に送られ、照明部２の出力に関する制御に用いられる。また、各種センサによって計測されたデータは、表示部４に表示される。
【００４０】
以下、電力供給部１、照明部２、通信部３、表示部４及び収容部５のそれぞれについて詳述する。
【００４１】
［電力供給部１について］
電力供給部１は、本実施の形態においては、ソーラーパネル１０を用いて太陽光発電を行うことにより、計測部５０、制御ユニット５１、照明部２及び表示部４に電力を供給する。ソーラーパネル１０は、幅約５５０ｍｍ、長さ約１２００ｍｍの板状であり、支柱６の上端に取り付けられている。なお、ソーラーパネル１０は、照明装置Ａの消費電力に応じて任意の出力を設定することができ、本実施の形態のサイズに限られるものではない。
【００４２】
なお、電気の供給については、太陽光発電に限られるものではなく、例えば、商用電源、あるいは太陽光発電と商用電源の併用も考えられる。
【００４３】
ソーラーパネル１０で発電された電気は、図２に示すように、充放電制御器１２を介して蓄電池１１に蓄電され、照明装置Ａの稼動電力として用いられる。蓄電池１１への蓄電及び蓄電池１１からの放電は、充放電制御器１２により制御され、照明部２、表示部４及び収容部５内に設けられた計測部５０及び制御ユニット５１への電力の供給に用いられる。なお、図２においては、電力の供給は太線で表し、情報の流れは細線で表している。
【００４４】
また、蓄電池１１は、本実施の形態においては無充電の状態で２〜３日の間電力供給ができる容量を備えるが、この容量は任意に設定することができる。
【００４５】
［収容部５について］
収容部５には、各種センサを備える計測部５０と、計測部５０から送られる計測情報によって後述する照明部２を制御する制御ユニット５１が収容されている。
【００４６】
［計測部５０について］
計測部５０には、照明灯２０の周囲の温度を計測する温度センサ５０ａ、湿度を計測する湿度センサ５０ｂ、気圧を計測する気圧センサ５０ｃ、ソーラーパネル１０の発電量を計測する発電量センサ５０ｄが設けられている。なお、計測部５０に設けられるセンサは、上記のセンサに限られるものではなく、計測値によって照明装置Ａの周囲の状況が把握できるものであればよく、例えば照度センサや紫外線センサなどが考えられる。また、照明装置Ａは商用電源を使用することも可能であり、この場合には、発電量センサ５０ｄに代わって光センサ（図示せず）が設けられる。
【００４７】
計測部５０の温度センサ５０ａ、湿度センサ５０ｂ、気圧センサ５０ｃ、発電量センサ５０ｄによって計測された計測データは、計測情報として制御ユニット５１に送られ、制御ユニット５１内で、照明灯２０の出力判定に用いられる。なお、計測情報は、周囲情報の一例である。
【００４８】
［制御ユニット５１について］
制御ユニット５１は、計測部５０で得られた照明装置Ａの周囲の状況に関する計測データを計測情報として定期的に受信する受信部５１ａと、受信部５１ａで受信した計測情報から照明装置Ａの周囲の状況を判断する判断部５１ｂと、判断部５１ｂで判断された照明装置Ａの周囲の状況から照明灯２０の出力を判定する出力判定部５１ｃと、出力判定部５１ｃの判定に応じて出力調整器２１に照明灯２０の出力に関する出力情報を送る送信部５１ｄと、受信部５１ａで受信した計測情報を記憶すると共に、今までに取得した計測情報との差分を変移量として記憶する計測情報記憶部５１ｅとを有する。
【００４９】
具体的には、受信部５１ａは、計測部５０の各センサ５０ａ〜５０ｄで計測された、照明装置Ａの周辺の計測データに関する計測情報を、３０分間隔で受信する。なお、受信部５１ａが計測情報を受信する間隔はこれに限られるものではなく、短時間ごとの計測情報が必要な場合には１秒間隔、或いは０．１秒間隔とすることができ、大まかな間隔で計測情報を取得できれば良い場合には、１０分間隔、３０分間隔或いは１時間間隔、あるいは不定期に受信するなど任意に定めることができる。なお、本実施の形態においては、計測部５０から受信部５１ａへの計測情報の送信は、有線通信を行っている。
【００５０】
また、判断部５１ｂは、受信部５１ａで受信した計測情報から、照明装置Ａの周囲の状況を判断する。例えば、ある時点での計測データが、気温５℃、湿度８０％、気圧１０００ｈＰａ、発電量４５％である場合について説明する。ここで、本実施の形態においては、ソーラーパネル１０の定格容量は５０Ｗであり、発電量の設定値は定格容量の７０％で設定されている。なお、発電量の設定値とは、照明灯２０の点消灯を行う際の閾値である。
【００５１】
また、判断部５１ｂでは、照明装置Ａの周囲の状況を判断するにあたっては、計測情報記憶部５１ｅでは、計測情報を保存して前回の取得時の計測情報との差分から変移量を算出され、判断部５１ｂに送られる。判断部５１ｂでは、この変移量を加味して照明装置Ａの周囲の状況を判断する。これにより、特定の日時における周囲情報だけでなく、以前の周囲情報からも照明装置Ａの周囲の状況を判断することができる。
【００５２】
具体的には、気圧について前回の周囲情報との差分を変移量として把握した場合、気圧が徐々に上昇しているのであれば、天気が回復傾向にあると判断し、後述する出力判定部５１ｃにおいて、これに応じた照明体の色温度あるいは調光の出力（例えば、じきに周囲が明るくなることが予想されるので、出力をやや暗めの調光の出力に設定する）を段階的あるいは無段階的にすることができる。このようにして、天候の移り変わりや日時の経過に伴う温度や気圧などの周囲の状況の変化に応じて適切な照明環境を段階的あるいは無段階的に作り出すことができる
【００５３】
なお、計測部５０は、照明装置Ａの周囲の情報を常時計測しており、上記計測データは、受信部５１ａが計測部５０から計測情報を受信した時点でのものである。
【００５４】
以下に、一例として、計測部５０で計測された計測データから計測装置Ａの周囲の状況を判断した例を示す。
【００５５】
現在の気温が５℃であること、及び前回の取得時の計測情報と比較した場合の変移量が±５℃の範囲内であることから低温状態が続いており、１１月〜３月にかけた寒い時期であると判断する。また、湿度が８０％であること、及び前回の取得時の計測情報と比較した場合の変移量が大きくないことから降雨中であると、判断部５１ｂにおいて判断する。
【００５６】
また、気圧が１０００ｈＰａであること、及び前回の取得時の計測情報と比較した場合の変移量から気圧が上がり始めており、天気は、今後徐々に回復すると判断する。さらに、発電量が４５％であり、設定値の７０％を下回っていることから、薄暗い状態であると判断する。
【００５７】
以上により、判断部５１ｂにおいて、１１月〜３月にかけた寒い時期であること、降雨中であるが、そろそろ止んで今後天気は回復傾向にあること、発電量が設定値を下回っていることから照明装置Ａの周囲は薄暗いことが判断される。
【００５８】
判断部５１ｂの判断に基づいて、出力判定部５１ｃで、照明灯２０の出力を、色温度の出力は暖色系である３０００Ｋ、また調光の出力は明るめの７０％が適切であると判定する。そして、送信部５１ｄにおいて、照明灯２０の色温度の出力を３０００Ｋ（ケルビン）、調光の出力を７０％とする出力情報を出力調整器２１に送る。このようにして、制御ユニット５１により照明灯２０は制御される。
【００５９】
また、出力調整器２１が出力情報に基づいて照明灯２０の出力を調整することで、照明灯２０から温かみがあり、明るめの照明環境が提供される。これにより、照明装置Ａの周囲の人は、視覚的に温かみを感じることができると共に、周囲がやや薄暗い状況であっても、照明装置Ａの周囲では充分な明るさを得ることができる。
【００６０】
なお、上記の計測データに基づく照明灯２０の出力設定は、一例であって、これに限られるものではなく、例えば、調光の出力を７０％ではなく５０％とする、或いは周囲が薄暗い場合には点灯時間を早めるなど、任意に設定することができる。
【００６１】
なお、出力判定部５１ｃで判定された照明体２０の出力は送信部５１ｄに送信され、送信部５１ｄから出力情報として、出力調整器２１に送信されると共に、通信部３を介してクラウド７に保存される。このとき、計測情報記憶部５１ｅに記憶された計測データも同様にクラウド７に送信される。
【００６２】
また、本実施の形態においては、計測部５０と制御ユニット５１を別体として照明装置Ａの説明を行っているが、これに限られるものではなく、計測部を制御ユニットに含める等両者を一体とした照明装置も考えられる。
【００６３】
このように、照明装置Ａは、周囲の状況を計測されたデータから判断し、周囲の状況に応じて、段階的あるいは無段階的に適切な照明環境を提供することができる。
【００６４】
［照明部２について］
照明部２の照明灯２０には、図３（ａ）に示すように、異なる色温度を持つ二種類のＬＥＤ２０ａ、２０ｂが列単位で交互に配置されている。ＬＥＤ２０ａは暖色系の色温度（３０００Ｋ）であり、ＬＥＤ２０ｂは寒色系の色温度（５０００Ｋ）である。なお、ＬＥＤの配列にあっては、列単位での交互に配置されることに限られるものではなく、例えば、図３（ｂ）（ｃ）のように、ＬＥＤを個々に交互に配置するなども考えられる。また、ＬＥＤは、上記二種類の色温度に限定されるものではなく、任意に設定することができる。
【００６５】
ＬＥＤ２０ａ、２０ｂは、制御ユニット５１からの制御によって、いずれか一方の色温度を有するＬＥＤが点灯し、他方の色温度を有するＬＥＤはこの間消灯する。このようにいずれか一方のみのＬＥＤを点灯させることで、各ＬＥＤの累積点灯時間が所定の時間に達するまでの期間を延ばすことができるので、照明灯２０の交換期間を長く設定でき、経済的である。
【００６６】
また、照明灯２０のＬＥＤ２０ａ、２０ｂは、ソーラーパネル１０で発電された電気あるいは蓄電池１１から供給される電気により点灯し、制御ユニット５１からの出力情報に応じて調光の出力を設定することができる。
【００６７】
具体的には、先述したように、制御ユニット５１からの出力情報を受信した出力調整器２１によって、照明装置Ａの周囲の状況に応じた色温度及び調光の出力（光の強さ）で周囲を照らすことができる。なお、照明灯に用いられる照明器具はＬＥＤに限られるものではない。
【００６８】
［通信部３について］
通信部３は通信用アンテナ３０を備え、通信用アンテナ３０によって、計測部５０の各センサで計測された計測データは、インターネットのクラウド７上で保存される。クラウド７で保存されたデータは、外部の携帯端末（図示せず）から読み込むことができ、携帯端末から各照明装置に直接出力情報あるいは表示パネル４に表示させたい情報等を送信することもできる。ここで、この携帯端末には、計測情報から照明灯２０の出力情報を判断して送信するアプリケーションソフトウェアが保存されているものとする。なお、クラウド７上の計測情報から人が照明装置Ａの色温度や調光の出力を判定し、出力情報を出力調整器２１に送信することもできる。
【００６９】
［表示部４について］
表示部４は、計測部５０で計測された計測データを表示したり、一般的なニュースあるいは地域の情報などを表示する。
【００７０】
［第１の実施の形態の照明方法］
第１の実施の形態の照明方法について、図４を参照しながら説明する。
（ＳＴ１；計測工程）
計測部５０の温度センサ５０ａ、湿度センサ５０ｂ、気圧センサ５０ｃ、発電量センサ５０ｄにより、照明装置Ａの周囲の状況を計測して、照明装置Ａの周囲の状況に関する周囲情報を取得する。なお、上記４つのセンサは必須のものではなく、例えば温度センサ５０ａ及び発電量センサ５０ｄの二つで計測することも可能であり、任意に設定することができる。ここで、計測部５０の各センサは、照明装置Ａの周囲の状況について常時計測しているものとする。
【００７１】
本実施の形態においては、温度センサ５０ａで温度５℃、湿度センサ５０ｂで湿度８０％、気圧センサ５０ｃで１０００ｈＰａ、発電量センサで定格容量の４５％と計測され、これらの計測データは計測情報として、後述する計測情報記憶部５１ｅに記憶される。
【００７２】
（ＳＴ２；発電量確認工程）
発電量センサ５０ｄで計測されたソーラーパネル１０の発電量を確認し、設定値と比較する。本実施の形態においては、設定値が定格容量の７０％であるのに対し、発電量が定格容量の４５％であり、設定値を下回っている。ここで、設定値を上回っている場合には、照明の必要がないと判断し、照明灯２０を消灯する（ＳＴ３）。なお、本実施の形態においては、発電量が４５％であるので、ＳＴ４に進む。
【００７３】
（ＳＴ４；設定条件１を充足するかを判断する判断工程）
設定条件１（温度１５℃以上、湿度４０％以上、気圧９９５ｈＰａ以上、発電量５０％以上７０％未満）を充たす場合にはＳＴ５に進み、充たさない場合にはＳＴ６に進む。本実施の形態においては、温度５度、発電量４５％であることから、ＳＴ６に進む。なお、設定条件１は上記の条件に限られるものではなく、任意に設定することができる。
【００７４】
（ＳＴ５；春夏用照明出力判定・制御工程）
ＳＴ５に進んだ場合には、温度が１５度以上で、発電量も５０％以上であることから、判断部５１ｂで、春夏用の照明（寒色系の色温度５０００Ｋ）に設定すると共に、照明装置Ａの周囲は一定の明るさがあると判断し、調光の出力を３０％に設定する。これにより、照明装置Ａの周囲に春夏用の照明環境を提供することができる。
【００７５】
（ＳＴ６；設定条件２に基づいて周囲の状況を判断する判断工程）
本実施の形態においては、気温５℃、湿度８０％、１０００ｈＰａ、定格容量の４５％の発電量と計測されているので、ＳＴ６に進む。ＳＴ６では、設定条件２（温度１５℃未満、湿度４０％以上、気圧９９５ｈＰａ以上、発電量５０％未満）を充たすか否かが判断される。本実施の形態においては、上記計測データから設定条件２を充たすと判断され、ＳＴ７に進む。設定条件１及び２の何れにも該当しない場合には、ＳＴ８に進む。なお、設定条件２は上記の条件に限られず、任意に設定することができるだけでなく、設定条件を３つ以上に設定することも可能である。
【００７６】
ＳＴ６では、判断部５１ｂにおいて、現在の計測情報（温度５度、湿度８０％、１０００ｈＰａ、発電量４５％）から、照明装置Ａの周囲は低温状態であり、また日差しも弱い状況であると判断する。
【００７７】
（ＳＴ７；秋冬用照明出力判定・制御工程）
次に、ＳＴ７では、出力判定部５１ｃにおいて、上記の状況から、照明灯２０からの出力を、温かみが感じられる秋冬用の照明（暖色系の色温度３０００Ｋ）にし、また調光の出力は７０％の出力にすると判定する。これにより、照明装置Ａの周囲に、明るさと温かみのある秋冬用の照明環境を提供することができる。
【００７８】
ＳＴ７では、出力判定部５１ｃで判定された出力情報は、送信部５１ｄから出力調整部２１に送信され、出力調整部２１により出力情報に従い、照明灯２０から色温度（３０００Ｋ）及び調光の出力を７０％とする照明で、照明装置Ａの周囲が照らされる。これにより、周囲の状況の変化に応じて適切な照明環境を作り出すことができる。
【００７９】
なお、前回以前の計測情報との差分である変移量を計測情報記憶部５１ｅから読込み、この変移量と現在の計測情報から、さらに詳細に照明装置Ａの周辺の状況を判定することもできる。具体的には、気圧の変位量が＋５ｈＰａである場合には、天気が回復傾向にあり、今後徐々に日がさして明るさが戻ると判断し、調光の出力をやや暗めの２０％などに設定することもできる。この様にすることで、さらに、周囲の状況の変化を的確に把握して、より適切な照明環境を作り出すことができる。
【００８０】
（ＳＴ８；設定条件１及び２の双方に該当しない計測情報に対する照明設定工程）
ＳＴ８では、設定条件１及び２のいずれにも該当しない場合には、春夏用の照明で、調光の出力を５０％に設定する。これにより、設定条件１及び２のいずれにも該当しない場合であっても、照明灯２０の出力設定を行うことができる。なお、春夏用の照明にすることに限られるものではなく、秋冬用の照明あるいはそれらの中間色の照明とするなど、任意に設定することができる。
【００８１】
（ＳＴ９；クラウドへの送信工程）
制御ユニット５１の送信部５１ｄから通信部３を介してクラウド７に、照明装置Ａの稼動状況に関する稼動情報（計測データを含む）を送信する。このように、照明装置Ａの外部に稼動情報を保存することで、外部から稼動情報にアクセスすることが可能となる。例えば携帯端末（図示せず）からクラウド７の稼動情報にアクセスして、照明装置を制御することができる。
【００８２】
（ＳＴ１０；Ｓｔａｒｔへの戻り工程）
クラウド７への送信後は、「Ｓｔａｒｔ」に戻り、次回受信時刻に各センサ５０ａ〜５０ｄから計測データを取得する。なお、本実施の形態においては３０分間隔で受信する。
【００８３】
以上により、第１の実施の形態である照明装置Ａ及び照明方法は、天候の移り変わりや日時の経過に伴う温度や気圧などの周囲の状況の変化に応じて適切な照明環境を段階的あるいは無段階的に作り出すことができる照明装置Ａ及び照明方法となっている。
【００８４】
［第２の実施の形態］
以下、本発明の照明装置Ｂの第２の実施の形態について図１、図５及び図６を参照しながら説明し、本発明の理解に供する。なお、第１の実施の形態と同じ構成については同じ番号を付すと共に、説明を省略する。
【００８５】
照明装置Ｂは、図１に示すように、照明装置Ｂが稼働するための電力を供給する電力供給部１、ＬＥＤを用いた照明灯２０及び照明灯２０の出力を調整する出力調整部２１から成る照明部２、外部との送受信を行う通信部３、ニュースなどの情報を適宜表示する表示部４、日時と設置場所から、出力調整部２１に出力に関する出力情報を送る制御ユニット５２が収容された収容部５及びこれらを支持する支柱６を備える。
【００８６】
以下、制御ユニット５２について詳述し、電力供給部１、照明部２、通信部３、表示部４及び収容部５については、照明装置Ａと同様であるため説明を省略する。
【００８７】
［制御ユニット５２について］
制御ユニット５２は、日時に関する情報を取得するタイマー部５２ａと、設置場所に応じた、各日時の照明灯２０の色温度及び点消灯の時刻が予め設定された設定データが保存された設定データ保存部５２ｂと、タイマー部５２ａで得られた日時に関する情報から設定データ保存部５２ｂに保存された特定の日時における照明灯２０の色温度及び点消灯の時刻を照合し、照明灯２０の色温度と点消灯の時刻を決定する照合決定部５２ｃと、照合決定部５２ｃの判定に応じて出力調整器２１に照明灯２０の出力に関する出力情報を送る送信部５２ｄとを有する。
【００８８】
例えば、タイマー部５２ａで取得された特定の日時が９月２０日午後６時であり、設定データ保存部５２ｂに保存された、上記日時における照明灯２０の色温度、調光の出力及び点消灯の時刻が、色温度３０００Ｋ、調光の出力６０％、そして点灯の時刻が午後６時と設定されている。
【００８９】
また、設定データ保存部５２ｂに保存された設定データは、本実施の形態では、照明装置Ｂが設置された場所に対応した、各日時の照明体の色温度及び点消灯の時刻が設定されている。これにより、月日の変化に応じた照明環境を提供できるだけでなく、同じ日時であっても照明装置Ｂの設置場所（緯度、経度或いは標高など）に応じた適切な照明環境を提供することができる。即ち、同じ日時であっても、設置場所の緯度、緯度若しくは標高などが異なると、適切な照明体の色温度と点消灯時間は異なるので、これらを加味した上で、照明装置の設置場所に応じた設定データとしている。
【００９０】
本実施の形態においては、照合決定部５２ｃで、色温度３０００Ｋ、調光６０％、そして点灯の時刻が午後６時という出力が設定されており、送信部５２ｄから、出力調整器２１に照明灯２０の出力に関する出力情報が送信される。これにより、制御ユニット５２による照明灯２０の制御が可能となる。
【００９１】
また、雨や曇りで暗い日や、日差しが届かない地下街、病院、工場などに長時間滞在すると、このサーカディアンリズムが乱れ、睡眠不足や、抑うつ的な気分に陥ると言われている。このような体調や精神的な不調に陥ることを抑制するため、本実施の形態では、サーカディアンリズムに基づいて意図的に照明環境を調整することで、体調などを整えることもできる。
【００９２】
具体的には、季節が夏であれば、午前６時から点灯し、色温度３０００Ｋで、調光０％から徐々に調光の出力を上げ、午前６時半ごろには、調光５０％となるように点灯させる。これにより、日差しを直接浴びない環境に居ながら、日の出の際の日差しを視覚的に体感することができる。
【００９３】
また、午前６時半以降、色温度を３０００Ｋ（暖色系）から５０００Ｋ（寒色系）に徐々に変化させ、調光の出力も徐々に上げて、正午ごろには、色温度５０００Ｋ、調光９０〜１００％とし、午後３時頃までこの状態を維持する。これにより、日差しを直接浴びない環境に居ながら、日中の日差しを視覚的に体感することができる。
【００９４】
そして、徐々に色温度を５０００Ｋから３０００Ｋに変化させると共に、調光の出力を下げ、午後６時頃には、色温度３０００Ｋ（暖色系）で調光６０％にする。これにより、日差しを直接浴びない環境に居ながら、夕暮れの際の日差しを視覚的に体感することができる。
【００９５】
さらに、調光の出力を徐々に下げ、午後７時半には調光の出力を４０％にまで下げ、その後は夜間用の照明とする。これにより、日差しを直接浴びない環境に居ながら、夕暮れから日没後までの日差しを視覚的に体感することができる。このように、それぞれの日時に応じた照明環境とすることで、日差しが届かない場所であっても体内時計を正確に働かせることができる。
【００９６】
［第２の実施の形態の照明方法］
第２の実施の形態の照明方法について、図６を参照しながら説明する。
【００９７】
（ＳＴ１１；日時情報取得工程）
タイマー部５２ａにより、日時情報を取得する。これにより、取得時の時刻を正確に把握することができる。
【００９８】
（ＳＴ１２；色温度判断工程）
タイマー部５２ａで得られた日時情報により、取得時の時期を把握し、この時期に応じて適切な色温度を判断する。本実施の形態においては、春夏は４月から９月までであり、秋冬は１０月から３月までに設定している。なお、色温度を春夏と秋冬で分ける以外にも、春、夏、秋、冬の４つに分ける、あるいは月ごとに分けるなど任意に設定することができる。ＳＴ１２で判断された季節が秋冬である場合には、ＳＴ１３に進む。
【００９９】
（ＳＴ１３；秋冬用色温度設定工程）
ＳＴ１３では、照明灯２０を秋冬用の色温度に設定する。即ち、３０００Ｋの色温度（暖色系）を有するＬＥＤ２０ａが点灯するように設定する。
【０１００】
（ＳＴ１４；春夏用色温度設定工程）
ＳＴ１４では、照明灯２０を春夏用の色温度に設定する。即ち、５０００Ｋの色温度（寒色系）を有するＬＥＤ２０ｂが点灯するように設定する。
【０１０１】
（ＳＴ１５；点灯時間確認工程）
タイマー部５２ａで得られた日時情報により、設定データ保存部５２ｂで、予め設定された点灯時間内であるかを確認する。予め設定された点灯時間でない場合には、ＳＴ１６に進み、照明灯２０を消灯し、ＳＴ１７でクラウド７上に照明装置Ｂの稼動情報を送信し、ＳＴ１８で「Ｓｔａｒｔ」に戻る。点灯時間内であれば、ＳＴ１９に進む。
【０１０２】
（ＳＴ１６；消灯工程）
ＳＴ１５で点灯時間外であると判断されたので、ＳＴ１６で照明灯２０は消灯する。
【０１０３】
（ＳＴ１７；クラウドへの送信工程）
制御ユニット５２の送信部５２ｄから通信部３を介してクラウド７に、照明装置Ｂの稼動状況に関する稼動情報を送信する。このように、照明装置Ｂの外部に稼動情報を保存することで、外部から稼動情報にアクセスすることが可能となる。例えば携帯端末（図示せず）からクラウド７の稼動情報にアクセスして、照明装置の色温度や調光の出力を制御することができる。
【０１０４】
（ＳＴ１８；Ｓｔａｒｔへの戻り工程）
クラウド７への送信後は、「Ｓｔａｒｔ」に戻り、次回受信時刻にタイマー部５２ａから日時情報を取得する。なお、本実施の形態においては３０分間隔で受信する。
【０１０５】
（ＳＴ１９；サーカディアンリズム機能設定確認工程）
ＳＴ１５で点灯時間内であると判断された場合、さらにサーカディアンリズム機能が設定されているかについて確認する。サーカディアンリズムが設定されている場合には、ＳＴ２０に進み、設定されていない場合にはＳＴ２１に進む。
【０１０６】
（ＳＴ２０；サーカディアンリズムに基づく照明設定工程）
サーカディアンリズムに基づいて、日時に応じた適切な照明環境を提供することができる。即ち、日差しが届かない場所に長時間滞在した場合であっても、日時に応じた照明環境にすることで、体内時計を正常に戻し、睡眠不足や、抑うつ的な気分に陥ることを抑制することができる。なお、サーカディアンリズムに基づく照明灯２０の出力情報は、設定データ保存部５２ｂに保存されている。
【０１０７】
（ＳＴ２１；設定データに基づく照明設定工程）
サーカディアンリズム機能が設定されていない場合には、設定データに基づいて照明設定を行う。設定データには、設置場所に対応した、各日時の照明体の色温度及び点消灯の時刻が予め設定されており、日時と設置場所が特定されることで、予め設定された照明環境を提供することができる。
【０１０８】
（ＳＴ２２；クラウドへの送信工程）
制御ユニット５２の送信部５２ｄから通信部３を介してクラウド７に、照明装置Ｂの稼動状況に関する稼動情報を送信する。このように、照明装置Ｂの外部に稼動情報を保存することで、外部から稼動情報にアクセスすることが可能となる。例えば携帯端末（図示せず）からクラウド７の稼動情報にアクセスして、照明装置の色温度や調光の出力を制御することができる。
【０１０９】
（ＳＴ２３；Ｓｔａｒｔへの戻り工程）
クラウド７への送信後は、「Ｓｔａｒｔ」に戻り、次回受信時刻にタイマー部５２ａから日時情報を取得する。なお、本実施の形態においては３０分間隔で受信する。
【０１１０】
以上により、第２の実施の形態である照明装置Ｂ及び照明方法は、日時の経過に伴う温度や気圧などの周囲の状況の変化に応じて適切な照明環境を段階的あるいは無段階的に作り出すことができる照明装置及び照明方法となっている。
【符号の説明】
【０１１１】
１    電力供給部
２    照明部
２０    照明灯
２１    出力調整部
５０    計測部
５１    制御ユニット
５１ａ    受信部
５１ｂ    判断部
５１ｃ    出力判定部
５１ｄ    送信部
Ａ    照明装置
【図１】
0006868256.tif 000002
【図２】
0006868256.tif 000003
【図３】
0006868256.tif 000004
【図４】
0006868256.tif 000005
【図５】
0006868256.tif 000006
【図６】
0006868256.tif 000007